(57)【要約】【課題】本発明は、コネクタの上方の空間を利用して、より多くのハードディスクを装着できるハードディスクドライブ固定装置を提供することを目的とする。【解決手段】本発明に係るハードディスクドライブ固定装置は、ハードディスクドライブを固定することに使用され、第一コネクタが設けられているマザーボードと、固定部品と、回路基板と、を備える。前記固定部品は、前記ハードディスクドライブを収容する収容部と、前記収容部の下部の後側に連接される連接部と、を備え、前記回路基板は、前記連接部の前側に固定され、前記回路基板の前側には、前記ハードディスクドライブに電気接続される第二コネクタが設けられ、前記回路基板の底部には、前記第一コネクタに電気接続される接続部が設けられている。【選択図】図１
2014038685.tif 000002
【特許請求の範囲】
【請求項１】
ハードディスクドライブを固定することに使用され、
第一コネクタが設けられているマザーボードと、
固定部品と、
回路基板と、を備えてなるハードディスクドライブ固定装置であって、
前記固定部品は、前記ハードディスクドライブを収容する収容部と、前記収容部の下部の後側に連接される連接部と、を備え、前記回路基板は前記連接部の前側に固定され、前記回路基板の前側には、前記ハードディスクドライブに電気接続される第二コネクタが設けられ、前記回路基板の底部には、前記第一コネクタに電気接続される接続部が設けられていることを特徴とするハードディスクドライブ固定装置。
【請求項２】
前記連接部は前記収容部の後側に連接され、前記連接部は前記第一コネクタの上面の後側に当接する支持片を備え、前記回路基板は前記支持片の前側に固定されることを特徴とする請求項１に記載のハードディスクドライブ固定装置。
【請求項３】
前記収容部の底面からは、少なくとも１つの支持部が延伸し、前記支持部は前記第一コネクタの上面の前側に当接されることを特徴とする請求項１または２に記載のハードディスクドライブ固定装置。
【請求項４】
前記回路基板には、前記マザーボードに電気接続される第三コネクタが設置されていることを特徴とする請求項１から３の何れか一項に記載のハードディスクドライブ固定装置。
【請求項５】
前記収容部には、前記収容部の上面及び下部の後側を貫通し、且つハードディスクドライブを収容する収容空間が設けられ、前記第二コネクタは前記収容空間に挿入され、且つ前記ハードディスクドライブに電気接続されることを特徴とする請求項１から４の何れか一項に記載のハードディスクドライブ固定装置。
【請求項６】
前記第一コネクタの両端にはラッチがそれぞれ設置され、前記回路基板の両端には係合孔がそれぞれ設けられ、前記ラッチは係合孔にそれぞれ係合されることを特徴とする請求項１から５の何れか一項に記載のハードディスクドライブ固定装置。
【発明の詳細な説明】
【技術分野】
【０００１】
本発明は、ハードディスクドライブ固定装置に関するものである。
【背景技術】
【０００２】
従来の技術において、サーバーの記憶容量を拡大するには、サーバー内に設置されるハードディスクドライブの数を増加するのが一般的である。しかし、従来の場合、サーバー内におけるハードディスクドライブを装着するエリアは限られているため、ハードディスクドライブを多数装着することはできない。一方、サーバー内のマザーボード上には、メモリーカードを装着するコネクタが多く設置されているがその一部は通常使用されていないため、これらコネクタの上方の空間は浪費される。
【発明の概要】
【発明が解決しようとする課題】
【０００３】
本発明の目的は、前記問題を解決し、コネクタの上方の空間を利用して、より多くのハードディスクを装着できるハードディスクドライブ固定装置を提供することである。
【課題を解決するための手段】
【０００４】
上記目的を達成するために、本発明に係るハードディスクドライブ固定装置は、ハードディスクドライブを固定することに使用され、第一コネクタが設けられているマザーボードと、固定部品と、回路基板と、を備える。前記固定部品は、前記ハードディスクドライブを収容する収容部と、前記収容部の下部の後側に連接される連接部と、を備え、前記回路基板は前記連接部の前側に固定され、前記回路基板の前側には前記ハードディスクドライブに電気接続される第二コネクタが設けられ、前記回路基板の底部には、前記第一コネクタに電気接続される接続部が設けられている。
【発明の効果】
【０００５】
本発明に係るハードディスクドライブ固定装置は、ハードディスクドライブをメモリーカードが装着されないコネクタに接続し、コネクタの上方を空間を利用し、サーバーの記憶容量を拡大することを可能にする。
【図面の簡単な説明】
【０００６】
【図１】本発明の実施形態に係るハードディスクドライブ固定装置の分解斜視図である。
【図２】図１に示すハードディスクドライブ固定装置の組立斜視図である。
【図３】図１に示すハードディスクドライブ固定装置のＩＩＩ−ＩＩＩ線に沿った断面図である。
【発明を実施するための形態】
【０００７】
図１に示したように、本発明の実施形態に係るハードディスクドライブ固定装置は、２つのハードディスクドライブ５０をサーバー内に固定することに使用される。該ハードディスクドライブ固定装置は、マザーボード１０と、回路基板２０と、固定部品３０と、を備える。
【０００８】
マザーボード１０上には、メモリーカードを装着できる複数のコネクタ１２が設置されている。各コネクタ１２の両端には、ラッチ１２１がそれぞれ設けられている。
【０００９】
回路基板２０は、メモリーカードと同じ形状を呈する板体２２と、板体２２の前側に設置された２つのコネクタ２４と、この２つのコネクタ２４の下方にそれぞれ設置されている２つのコネクタ２６と、を備える。コネクタ２４はＬ字状を呈している。つまり、板体２２の前側から垂直に延出した後、上方に向けて垂直に延伸する。板体２２の長手方向両端には、少なくとも１つの係合孔２７がそれぞれ設けられている。板体２２の長手方向両端に近接する箇所には、固定孔２８がそれぞれ設けられている。また、板体２２の底部には接続部２２０が設けられている。
【００１０】
固定部品３０は、収容部３２と、収容部３２の下部の後側に連接されている連接部３４と、を備える。収容部３２には、収容部３２の上面から下部の後側まで貫通する２つの収容空間３２０が設けられている。収容部３２の底面の前側には、２つの支持部３２２が設置されている。支持部３２２はＬ字状を呈し、収容部３２の底面から垂直に延伸した後、互いに離れる方向（つまり、収容部３２の両端）に向かって延在する。連接部３４は、収容部３２の下部から垂直に延伸した後、後方（支持部３２２と離れる方向）へ垂直に延伸し、且つＬ字状を呈する支持片３４２を備える。支持片３４２の縦部の両端にはネジ穴３４４がそれぞれ設けられている。
【００１１】
図２及び図３を参照すると、ハードディスクドライブ固定装置を組み立てる際、先ず、板体２２を、支持片３４２の前側（支持部３２２に面する側）に当接させる。次いで、コネクタ２４の上部を、下から上へ収容空間３２０内にそれぞれ挿入した後、板体２２を収容部３２に向けてスライドさせる。次いで、２つのネジ４０を、板体２２の両固定孔２８に貫通させて支持片３４２のネジ穴３４４に螺合する。これによって、板体２２を固定部品３０に固定する。
【００１２】
２つのハードディスクドライブ５０は、上から下へ収容空間３２０にそれぞれ収容され、固定部品３０の底部の内側に載置され、且つコネクタ２４に電気接続される。
【００１３】
ハードディスクドライブ５０をマザーボード１０に接続させる際、１つのコネクタ１２における両端のラッチ１２１が互いに離れる方向に向かって動かされて、板体２２の接続部２２０はコネクタ２４に電気接続される。この時、支持部３２２の底部は、コネクタの上面の前側に当接され、支持片３４２の底部は、コネクタ２４の上面の後側に当接される。次いで、ラッチ１２１は元の位置に戻り、且つ対応する係合孔２７にそれぞれ係合される。これによって、ハードディスクドライブ５０は、コネクタ１２を通じてマザーボード１０に電気的に接続されて電力が供給され、且つ、コネクタ１２の上方の空間を利用することができる。次いで、２つの信号ワイヤ（図示せず）を、コネクタ２６とマザーボード１０との間に接続させれば、ハードディスクドライブ５０とマザーボード１０との間には、電気的な信号を流すことができる。
【００１４】
本実施形態において、ネジ４０或いは収容空間３２０の頂部にカバーを装着して、ハードディスクドライブ５０を収容空間３２０内に固定しても良い。
【００１５】
また、他の実施形態において、収容空間３２０、対応するコネクタ２４、２６を省略しても良い。
【００１６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、添付の特許請求の範囲から決まる。
【符号の説明】
【００１７】
１０  マザーボード
１２  コネクタ
１２１  ラッチ
２０  回路基板
２２  板体
２２０  接続部
２４、２６  コネクタ
２７  係合孔
２８  固定孔
３０  固定部品
３２  収容部
３２０  収容空間
３２２  支持部
３４  連接部
３４２  支持片
３４４  ネジ穴
４０  ネジ
５０  ハードディスクドライブ
【図１】
2014038685.tif 000003
【図２】
2014038685.tif 000004
【図３】
2014038685.tif 000005